(57)【要約】【課題】溶解用水を散水し、十分均一に錠剤を溶解し、流量調節が容易で、構造が簡単で目詰まりがなく、また装置小型化され、故障のないこと、更に装置の作動状態を一目で確認することができること【解決手段】本発明の滅菌乃至殺菌装置は、下部に接続端１８及び上部には錠剤投入口１を有すると共に、蓋２０が開閉可能に設けられている。錠剤は、透明容器２の下部の多孔板４上に載置される。また透明容器２内には、ローター３が収納されており、このローター３の軸心は、外部環状体、好ましくは筒体３５を有し、この筒体３５の下方端部は、多孔板４の中心孔４２を貫通している内管２１と接続されている。更に内管２１の他方端は、流路１１のＴ字管１５に接続されている。本発明に用いられる透明容器２の下端は、接続部１４を介してＴ字管１６に接続され、ここで、溶解液は、流路ｂを通って水槽へ供給される。【選択図】　図２
2004050141.tif 000002
【特許請求の範囲】
【請求項１】
下部に接続端を有し、また上部が開閉可能な錠剤投入口を有する容器からなり、該容器内には、下方に多孔板を有し、かつ該多孔板の中心部を貫通した内管を有し、該内管の上端のローター設置部にローターが接続されており、該ローターは、外部環状体と直角に、散水孔を有するアームを有し、また前記接続端には排水弁と吐出弁を備えたＴ字管を有する接続部材の一方が接続され、更に該接続部材の他方を介して、前記内管の端部が水量調節弁を有するＴ字管と接続されていることを特徴とする滅菌乃至殺菌装置。
【請求項２】
前記容器が透明容器であることを特徴とする請求項１に記載の滅菌乃至殺菌装置。
【請求項３】
前記アームには下部と横方向に複数個の孔が設けられていることを特徴とする請求項１又は請求項２に記載の滅菌乃至殺菌装置。
【請求項４】
循環濾過設備のある水槽の循環経路に、請求項１乃至請求項３のいずれかに記載の滅菌乃至殺菌装置を有することを特徴とする水循環システム。
【請求項５】
請求項４に記載の水循環システムが公衆浴場、レジャー浴場及び小型プールのうちの少なくといずれかであることを特徴とする水循環システム。
【発明の詳細な説明】
【０００１】
【発明の属する技術分野】本発明は、滅菌乃至殺菌装置及びこれを使用する公衆浴場、レジャー浴場及び小型プール等に使用し得る水循環システムに関し、更に詳しくは滅菌乃至殺菌用錠剤又は顆粒を溶解して均一溶液とし得ると共に、２種類の錠剤を同時に使用することができ、更には滅菌装置が作動している状態を目視できるという優れた性能を有する滅菌乃至殺菌装置及びこれを使用する水循環システムに関するものである。
【０００２】
【従来の技術】従来の滅菌乃至殺菌装置は、定量ダイヤフラムポンプで次亜塩素酸ソーダ溶液を定量注入して、前述のごとき公衆浴場、レジャー浴場及び小型プール等に使用されているが、このような定量ダイヤフラムポンプを用いる滅菌乃至殺菌は、ポンプ構造が複雑で故障し易いばかりでなく、塩素ガスロックや塩素系物質の結晶化によるポンプの目詰まり等が起こり、更には薬液の補充を忘れる等の事故が発生し易い。
【０００３】
また薬液に代えて錠剤を溶解する方法もあるが、この場合には、溶解量の調節は、流量計を見ながら、バルブの開度で調整するので、煩わしく面倒であるばかりでなく、装置が作動しているかどうかを外部からでは確認し難いものである。
【０００４】
【発明が解決しようとする課題】このように、従来の滅菌乃至殺菌装置においては、次亜塩素酸ソーダ溶液を用いると共に、ポンプがダイヤフラムポンプを用いる定量注入方法であるので、（１）定量ポンプが薬剤の結晶化によって目詰まりが起こり易く、またダイヤフラムポンプの構造が極めて複雑であるがために故障し易い。（２）装置が比較的き大きいため、設置場所を探すのに困難である等の問題がある。
【０００５】
また従来の溶剤を溶解する方法では、溶剤の入った容器に水を注入するのみであるので、（１）溶剤の均一な溶解が困難である。（２）錠剤量に対して溶解水を注入する際、流量調整用バルブの調整が面倒である。（３）通常作業者は、複数の業務を兼ねているので、装置が作動しているか否かを確認してから操作を行うが、その際、装置が作動しているか否かの確認がなかなかし難い等の問題がある。
【０００６】
そこで、本発明者は、前述の如き問題点について種々検討し、目詰まりを防止するために、ダイヤフラムポンプの如きポンプ類を用いることなく、十分均一に錠剤を溶解することができ、水量調整が簡単であり、更に装置の動作が簡単に確認しうる等の課題の解決に十分満足し得る装置を見出した。本発明は、これらの課題を十分に解決し、優れた効果を奏するものである。したがって、本発明が解決しようとする第１の課題は、溶解用水を散水し、十分均一に錠剤を溶解し、流量調節が容易で、構造が簡単で目詰まりがなく、また装置小型化され、故障のない優れた効果を奏する滅菌乃至殺菌装置及びこれを使用する水循環システムを提供することにある。また本発明が解決しようとする第２の課題は、溶解用水を散水し、十分均一に錠剤を溶解し、流量調節が容易で、構造が簡単で目詰まりがなく、また装置小型化され、故障のない、更に装置の作動状態を一目で確認することができるという優れた効果を奏する滅菌乃至殺菌装置及びこれを使用する水循環システムを提供することにある。
【０００７】
【課題を解決するための手段】本発明の上記の各課題は、以下の各発明によってそれぞれ達成される。
【０００８】
（１）下部に接続端を有し、また上部が開閉可能な錠剤投入口を有する容器からなり、該容器内には、下方に多孔板を有し、かつ該多孔板の中心部を貫通した内管を有し、該内管の上端のローター設置部にローターが接続されており、該ローターは、外部環状体と直角に、散水孔を有するアームを有し、また前記接続端には排水弁と吐出弁を備えたＴ字管を有する接続部材の一方が接続され、更に該接続部材の他方を介して、前記内管の端部が水量調節弁を有するＴ字管と接続されていることを特徴とする滅菌乃至殺菌装置。
（２）前記容器が透明容器であることを特徴とする前記第１項に記載の滅菌乃至殺菌装置。
（３）前記アームには下部と横方向に複数個の孔が設けられていることを特徴とする前記第１項又は第２項に記載の滅菌乃至殺菌装置。
（４）循環濾過設備のある水槽の循環経路に、前記第１項乃至第３項のいずれかに記載の滅菌乃至殺菌装置を有することを特徴とする水循環システム。
（５）前記第４項に記載の水循環システムが公衆浴場、レジャー浴場及び小型プールのうちの少なくといずれかであることを特徴とする水循環システム。
【０００９】
【発明の実施の形態】以下、本発明を更に具体的にかつ例示的に図面をもって説明するが、本発明はこれらのものに限定されるものではない。図１は、本発明の滅菌乃至殺菌装置及びそれを水循環システムに用いた部分経路図である。図１において、線で囲まれた部分が、滅菌乃至殺菌装置Ｉを示し、この滅菌乃至殺菌装置Ｉは、透明容器２の内部にローター３が内蔵されている。また透明容器２の上部には、錠剤投入口を有し、該投入口から複数個の錠剤を投入する。この投入口には、蓋２０が開閉可能に設けられており、錠剤を投入後、蓋２０で密封される。この透明用にの下部は、設置用固定金具１７を有し、壁その他の適宜の場所へ設置固定される。また透明容器２の下部の接続端からは、内管が流路ａを介して溶解用水源（弁４７により供給を調整される。）に接続され、また外管は、流路ｂ及び流路ｃへ接続される。流路ｃは、水抜きによる排水用に用いられ、また流路ｂは、逆止弁４５を介して水槽へ供給される。その際、錠剤の溶解液は、濾過水の循環路へ供給されるが、供給を調整する弁（ボール弁）４８を通って供給される。また循環路には、濾過水を水槽へ供給する際、その量を調節するために濾過水吐出弁４６が設けられている。
【００１０】
この水循環システムでは、溶解用水源の弁４７を開放することによって溶解用水が内管を通ってローター３へ供給され、ローター３のアームに設けられた孔から水が噴出し、アームが回転する。この回転により散水され、錠剤を溶解し均一溶液を形成する。錠剤を溶解した溶解液は、外管を通り、開放された吐出弁６を通って流路ｂへ供給される。この際、排水弁７は、閉鎖されている。流路ｂには、逆止弁４５が設けられており、溶解液の逆流を防止している。流路ｂは、濾過水を水槽へ供給する循環路４３に接続されている。ここで、溶解液は循環使用される濾過水４４と混合されて濾過水が滅菌乃至殺菌される。
【００１１】
図２は、本発明の滅菌乃至殺菌装置の詳細を示した側面図であある。図３は、本発明の滅菌乃至殺菌装置の容器内に設置される多孔板を示す平面図である。図２乃至図３において、滅菌乃至殺菌装置は、下部に接続端１８及び上部には錠剤投入口１を有すると共に、カバー１９及び蓋２０が開閉可能に設けられている。錠剤８の投入は、排水弁７を開放して透明容器２内の水を排水した後、所定量の錠剤を投入する。例えば、１〜１０個を投入するのがよい。錠剤の種類は、１種類に限定されるものではなく、２種以上を混合して使用してもよい。特に次亜塩素酸系薬剤と二酸化塩素系薬剤との併用がよい。投入された錠剤は、透明容器２の下部に多孔板（目皿）４が設置されており、この多孔板４上に載置される。好ましくは平均的に規則的に載置するのがよい。透明容器２内には、ローター３が収納されており、好ましくは透明容器２の上部に配置するのがよい。このローター３の軸心は、外部環状体、好ましくは筒体３５を有し、この筒体３５の下方端部は、多孔板４の中心孔４２を貫通している内管２１と接続されている。更に内管２１の他方端は、流路１１のＴ字管１５に接続されている。本発明に用いられる透明容器２の下端は、接続部１４を介してＴ字管１６に接続され、ここで、溶解液は、流路ｂを通って水槽へ供給される。
【００１２】
図４は、本発明に用いられるローターを示す部分断面図である。更に図４のａは、その平面図であり、図４のｂは、その側面断面図である。図４において、ローターの外部環状体又は軸心３５には、頭部３１を有し、該頭部３１には、アーム３２ａ及び３２ｂが軸心３５に対して水平に設けられ、更にアーム３２ａ及び３２ｂには、下部にそれぞれ孔３７を有し、かつアーム３２ａの側部には、図面の紙面に対して後方へ噴射する孔３８を有し、またアーム３２ｂの側部には、図面の紙面に対して前方へ噴射する孔３８′を有する。これにより右回転するが、特にこれに限定されるものではなく、この逆に設けてもよい。この場合には左回転する。孔３７、３８、３８′の数は、任意であるが、２個以上、好ましくはアーム３２ａには、４個以上がよく、好ましくは、４個である。特に好ましくは下部に２個、側部に２個の合計４個である。３２ｂも３２ａと同様に同じ数がよくい。また頭部３１の下方には、軸心３５に嵌合するシャフト（内管）３３を有し、更にこのシャフト３３の下端にフランジ３３′を設けると共に、内部環状体３４及びリング３６を介在させて軸心３５に嵌合する。この際、内部環状体３４は、シャフト３３とは回転可能に僅かな隙間を有しており、また軸心３５の内面には、密着するように固定されるのがよい。リング３６は、フランジ３３′に支持され、軸心３５とシャフト３３との間から水が漏れるのを防止している。
【００１３】
ついで、本発明の滅菌乃至殺菌装置の使用方法を説明する。本発明の滅菌乃至殺菌装置Ｉは、水循環システムに組み合わせて使用するのが最もこのましいが、これに限らず他の用途にも使用できることはいうまでもない。本発明に用いられる水循環システムには、公衆浴場、レジャー浴場及び小型プールのうちの少なくといずれかであるが、大型のプールに使用してもよい。また容器としては、透明容器を用いるのが最も好ましいが、これに限定されることなく、半透明、不透明なプラスチックス、ガラス、金属等の材質を用いてもよいが、プラスチックスを用いるのが、装置全体を軽くすることができる点で好ましい。更にローターの材質は、プラスチックス、金属、特に滅菌乃至殺菌用薬剤に耐久性を有するものが好ましい。特に好ましくはプラスチックスである。
【００１４】
本発明の滅菌乃至殺菌装置Ｉは、図２乃至４に示される構造からなり、したがって、使用方法もごく簡単であり、まず、錠剤投入口１の蓋２０を開放し、錠剤５個を投入する。錠剤は、できるだけまんべんなく載置する。ついで、蓋２０を閉めてから、水量調節弁５を開けるとともに、水量を調節する。即ち、この水量調節弁５は予め適性水量をバルブの開閉で調節した後、固定する。錠剤の投入の際は、排水弁７を開け、透明容器２内の水を排水し、例えば、専用バサミで錠剤を投入する。ついで、排水弁７を閉めてから、吐出弁６を開放し、溶解用水を供給する。溶解用水は、Ｔ字管１５に接続された内管２１を通ってローター３に流入し、ローター３のアーム３２ａ、３２ｂに設けられた孔３７、３８、３８′から散水され、その圧力によりローター３は、軸心３５を中心に矢印方向へ回転する。散水された溶解用水は、透明容器２内の錠剤に接触して錠剤を溶解し、かつ均一溶解液とする。得られた溶解液は、外管流路１２を流下し、Ｔ字管１６へ流入する。このＴ字管１６には、排水弁７を吐出弁６を有しているが、使用時には、排水弁７は閉鎖されており、吐出弁が開放されているので、溶解液は、この吐出弁を通って水槽へ流入する循環路ｂへ流入する。使用後、更に錠剤を再度投入する際は、吐出弁６を閉じてから、排水弁７を開け、透明容器２内の水を排水する。その後、錠剤の投入を前述の如く行い、以下同様に操作する。
【００１５】
【発明の効果】本発明によれば、ローターを用いることにより、溶解用水を散水し、十分均一に錠剤を溶解し、流量調節が容易で、構造が簡単で目詰まりがなく、また装置小型化され、故障のない滅菌乃至殺菌装置が得られ、更に本発明では、透明容器を用いているので、装置の作動状態を一目で確認することができるという優れた効果を奏する。
【図面の簡単な説明】
【図１】本発明の滅菌乃至殺菌装置及びそれを水循環システムに用いた部分経路図である。
【図２】本発明の滅菌乃至殺菌装置の詳細を示した側面図であある。
【図３】本発明の滅菌乃至殺菌装置の容器内に設置される多孔板を示す平面図である。
【図４】本発明に用いられるローターを示す部分断面図である。図４のａは、その平面図であり、図４のｂは、その側面断面図である。
【符号の説明】
１　錠剤投入口　　　　　　　　　　　１５、１６　Ｔ字管
２　容器（特に透明容器）　　　　　　１７　固定金具
３　ローター　　　　　　　　　　　　１８　接続端
４　多孔板（目皿）　　　　　　　　　１９　カバー
５　水量調節弁　　　　　　　　　　　２０、２２　蓋
６　吐出弁　　　　　　　　　　　　　２１　内管
７　排水弁　　　　　　　　　　　　　３１　頭部
８　錠剤　　　　　　　　　　　　　　３２ａ、３２ｂ　アーム
１１　流路　　　　　　　　　　　　　３３　シャフト
１２　外管流路　　　　　　　　　　　３４　内部環状体（筒体）
１３　内管流路　　　　　　　　　　　３５　外部環状体（軸心）
１４　接続部　　　　　　　　　　　　３６　リング（パッキング）
３７　孔（下向き孔）
３８、３８′　側部孔
４１　目皿の孔
４２　中央孔
４３　循環路
４４　濾過水
４５　逆止弁
４６　濾過水吐出弁
４７　水源用元弁
４８　弁（ボール弁）
【図１】
2004050141.tif 000003
【図２】
2004050141.tif 000004
【図３】
2004050141.tif 000005
【図４】
2004050141.tif 000006